(57)【要約】【課題】洗濯する際のカーテン布地の脱着作業が簡単かつ時間を掛けずに能率的に行なえ、しかも、危険も少なく安全であるというローマンシエードを提供する。【解決手段】吊り杆１内に軸支され複数の巻取りドラム８が取着された回動軸６と、吊り杆１に着脱自在に装着されるカーテン生地２と、各巻取りドラム８に巻回されると共にカーテン生地２の一側面であってその上下端部間に列設した複数のガイド環２３ａに挿通され下端部をカーテン生地２の下端部側に取着した昇降コード２２とを備え、各昇降コード２２の上端を各巻取りドラム８側とは分離し、各巻取りドラム８側に被係合部１１を設けると共に各昇降コード２２の上端に該被係合部１１に着脱自在に係合し得る係合部２４を設けた構成からなる。【選択図】図６
2007014496.tif 000002
【特許請求の範囲】
【請求項１】
吊り杆内に水平に軸支されかつ複数の巻取りドラムが取着された回動軸と、前記吊り杆に着脱自在に装着されるカーテン生地と、前記各巻取りドラムに巻回されると共に前記カーテン生地の一側面であってその上下端部間に列設した複数のガイド環に挿通され下端部を前記カーテン生地の下端部側に取着した昇降コードと、を備えてなるローマンシエードであって、
前記各昇降コードの上端を前記各巻取りドラム側とは分離し、前記各巻取りドラム側に被係合部を設けると共に前記各昇降コードの上端に該被係合部に着脱自在に係合し得る係合部を設けたことを特徴とするローマンシエード。
【請求項２】
前記各巻取りドラムに補助コードの基端を連結すると共に該各補助コードの先端に連結環を設け、前記各昇降コードの上端に前記各連結環に着脱自在に係合する係止具を設けた請求項１記載のローマンシエード。
【発明の詳細な説明】
【技術分野】
【０００１】
この発明は、吊り杆に着脱自在に装着したカーテン生地が該吊り杆内の巻取りドラムを回転して昇降コードを伸縮させることにより上下に折り畳めるようにしたローマンシエードに関するものである。
【背景技術】
【０００２】
従来のローマンシエードには、昇降コードをチエーンと連動する巻取りドラムに巻き取るようにしたチエーン式と、昇降コードをそのままカーテン生地の一側に引き出すようにしたコード式とが有る。この内、チエーン式のローマンシエードは、水平に設置した吊り杆にカーテン生地が着脱自在に装着されており、該吊り杆内には複数の巻取りドラムを所定の間隔離して取着した回動軸が軸支される。各巻取りドラムに昇降コードが巻かれると共に各昇降コードは下方に垂下している。また、これら昇降コードは、カーテン生地の一側面であって上下に列設したガイド環に挿通されると共にその下端がカーテン生地の下部に取着されている。そして、前記各巻取りドラムを正逆回転させることにより、カーテン生地が自在に折り畳めるようになっている（例えば、特許文献１参照。）。
【特許文献１】実開平５−３４９８６号公報(考案の詳細な説明の段落０００４〜０００９、図１)
【発明の開示】
【発明が解決しようとする課題】
【０００３】
ところで、前記特許文献１のようなローマンシエードは長く使用していると、埃や手垢が付着してカーテン生地が汚れたり見栄えが悪くなることから、カーテン生地を定期的に吊り杆から外して洗濯する必要がある。
【０００４】
しかしながら、前記各巻取りドラムから垂下される昇降コードが縦に列設した複数のガイド環にそれぞれ挿通されており、また、各昇降コードが取着されるカーテン生地面は窓側を向いている。このため、吊り杆からカーテン生地を取り外す場合は、各ガイド環から昇降コードを引き抜くのみで済むので簡単であるが、逆に、洗濯後のカーテン生地を吊り杆に取り付ける場合は、窓とカーテン生地との間の狭い隙間に入って前記列設した複数のガイド環に各昇降コードを逐一手で挿通しなければならない。しかも、通常、前記各ガイド環は外径が１ｃｍ程度と比較的小さく指先では扱い難く、特に、昇降コードが５本または６本と多数本設けられていると、煩雑で面倒な手間と多くの時間が掛かることとなり、カーテン生地の脱着の作業能率が極めて悪いという課題があった。
【０００５】
また、前記各昇降コードを各ガイド環に挿通することは、先に、カーテン生地を吊り杆に装着してから、例えば脚立または踏み台を使った高所での長い作業になるので、長い作業中にバランスを崩して脚立または踏み台から落下し怪我をしてしまう危険性があるといった重大な課題もある。
【０００６】
そこで、本発明は上記課題を解決すべくなされたもので、洗濯する際のカーテン布地の脱着作業、特に、窓とカーテン生地という狭い隙間であってもその取付け作業が簡単かつ時間を掛けずに能率的に行なえ、しかも、危険も少なく安全であるというローマンシエードを提供することを目的とするものである。
【課題を解決するための手段】
【０００７】
かかる目的を達成するため本発明に係るローマンシエードは、吊り杆内に水平に軸支されかつ複数の巻取りドラムが取着された回動軸と、吊り杆に着脱自在に装着されるカーテン生地と、各巻取りドラムに巻回されると共にカーテン生地の一側面であってその上下端部間に列設した複数のガイド環に挿通され下端部をカーテン生地の下端部側に取着した昇降コードと、を備えてなるローマンシエードであって、前記各昇降コードの上端を各巻取りドラム側とは分離し、各巻取りドラム側に被係合部を設けると共に各昇降コードの上端に該被係合部に着脱自在に係合し得る係合部を設けた構成からなる。
【０００８】
この際、例えば前記各巻取りドラムに補助コードの基端を連結すると共に該各補助コードの先端に連結環を設け、各昇降コードの上端に各連結環に着脱自在に係合する係止具を設けた構成が採られる。
【発明の効果】
【０００９】
本発明は、各昇降コードの上端を各巻取りドラム側とは分離し、各巻取りドラム側に被係合部を設けると共に各昇降コードの上端に該被係合部に着脱自在に係合し得る係合部を設けるようにしたので、各巻取りドラム側の被係合部から各昇降コード先端の係合部を単に外すのみで、カーテン生地を吊り杆から取り外すことができることになる。しかも、各昇降コードはカーテン生地の一側面に取り付けたままとすることができる。よって、洗濯する際のカーテン生地の脱着作業、特に、窓とカーテン生地という狭い隙間であってもその取付け作業が簡単かつ時間を掛けずに能率良く行なえ、しかも危険も少なく安全であるという効果を有する。
【発明を実施するための最良の形態】
【００１０】
以下、本発明に係るローマンシエードの実施の形態について説明する。本発明に係るローマンシエードは昇降コードを巻き取る巻取りドラムを備えたチエーン式である。図１は本発明に係るローマンシエードの斜視図、図２は吊り杆部位の正面断面図、図３は図２のＸ−Ｘ線断面図、図４は図２のＹ−Ｙ線断面図をそれぞれ示す。ローマンシエードＲは、室内の窓枠等の壁の開口部（図示せず。）に装着され、主としてその開口部の上縁に水平に取り付けられる吊り杆１と、上端縁を該吊り杆１の一側面に剥離自在に接合して装着されるカーテン生地２とからなる。
【００１１】
吊り杆１は、金属製であって下方が開口３した横断面門型をなす柱状に成形され、側壁４の一側面（部屋側）にその長手方向に沿って雄型の貼り合せファスナー５ａが貼着されている。一方、吊り杆１内には、その中央の長手方向に沿って回動軸６が水平に配置される。この回動軸６は、その横断面が正六角形状をしており、両端部が吊り杆１内に取り付けられた一対の軸受部７，７に軸支され、自在に回転し得るようになっている。また、回動軸６には、ほぼ等間隔に位置して四個の巻取りドラム８が取着され、該各巻取りドラム８に後記する昇降コード２２が巻き取られることになる。
【００１２】
前記各巻取りドラム８には図３に示すように外周面に取付孔９ａを有する取付片９が設けられ、該取付孔９ａに補助コード１０の基端側が連結される。この補助コード１０の長さは、巻取りドラム８外周の２〜３倍程度の長さに設定され、その先端部に被係合部としての連結環１１が取着されている。このように、補助コード１０の長さを巻取りドラム８外周の２〜３倍の寸法に設定したのは、後記する昇降コード２２の上端を着脱自在に係合させ易くするため、常に補助コード１０の先端が吊り杆１の下端縁から下方へ少しの寸法分食み出させておく必要があるからである。
【００１３】
また、各巻取りドラム８は、軸孔１２の内周面が回動軸６における正六角形の外周面に当接するようになっており、これによって、回動軸６の回動と共に巻取りドラム８が回動する。また、各巻取りドラム８は、吊り杆１の内周面に固定される受承枠１３内に配置され、巻取りドラム８両端の円筒部８ａが受承枠１３両端の軸受凹部１４に嵌入して支持される。このように、受承枠１３で巻取りドラム８を支持するのは、昇降コード２２を介して巻取りドラム８には大きい荷重が加わることから、これによって回動軸６が無用に撓まないようにするためである。
【００１４】
一方の軸受部７の外側であって回動軸６の端部に図４に示すようにスプロケット１５が固着されている。スプロケット１５の外周面には嵌合凹部１６が周設され、各嵌合凹部１６に数珠状の多数の塊状部１７が順に嵌り込む無端状のチエン１８が掛けられている。スプロケット１５は周囲を両側が開放するカバー１９により覆われ、スプロケット１５に掛けられたチエン１８はカーテン生地２の外側に位置するようになっている。
【００１５】
カーテン生地２は、吊り杆１の長手方向の長さ寸法とほぼ同じ横幅寸法を有する縦長長方形状に成形され、所望の生地が選択して使用される。そして、一側面すなわち外側面（窓側）の上端縁に沿って、前記吊り杆１の一側面に貼着される雄型の貼り合せファスナー５ａに剥離自在に貼着される雌型の貼り合せファスナー５ｂが固着されている。また、下端部にはその長手方向に沿って袋状部２０が成形され、該袋状部２０にカーテン生地２が皺のできないように綺麗に張られるためのウエイトバー２１が内装されている。
【００１６】
また、カーテン生地２の外側面の上下端部間に、昇降コード２２に対応位置して複数の円形状のガイド環２３ａを縦方向に列設したガイド環群２３が複数本設けられている。詳しくは、各ガイド環２３ａは外径が１ｃｍ程度であり、縦長のテープ布（図示せず。）に等間隔に取着され、該テープ布をカーテン生地２に縫い付けることにより取り付けられる。各ガイド環群２３の各ガイド環２３ａはすべてほぼ水平に保持され、昇降コード２２が通過し易くなっている。
【００１７】
前記各昇降コード２２は、カーテン生地２の縦寸法よりも長く成形されるが、例えば最大長く伸びたとき、カーテン生地２の縦寸法とほぼ同じ寸法になるようにしても良い。そして、昇降コード２２の上端に前記補助コード１０の連結環１１に着脱自在に係合する係合部としての係止具２４が設けられる。昇降コード２２は、前記複数のガイド環２３ａに挿通されると共にその下端がカーテン生地２の下部、すなわち、最下端のガイド環２３ａに例えば前記係止具２４と同じ構成のものが取り付けられる。
【００１８】
前記係止具２４は、例えば図３に示すように細い針金を楕円状に屈曲して成形され、そのほぼ中央部の一方の針金を切断してその一方を掛止部２５とし、また、前記中央部に両端側が各針金に巻き付くように折り曲げられる固定板２６を設けて成形される。そして、掛止部２５が一方の捲付き部２７に係脱自在に係止できるようになっている。
【００１９】
本発明に係るローマンシエードＲは上記構成からなり、チエン１８を正逆回転させることによって各巻取りドラム８が回動し、各昇降コード２２が巻取りまたは巻戻しされ、これによりカーテン生地２が上下に自在に折り畳められるようになっている。
【００２０】
そこで、洗濯時におけるカーテン生地２の脱着方法を説明する。まず、図５、図６に示すように各巻取りドラム８から垂下される補助コード１０の連結環１１から係止具２４を外す。この際、外した係止具２４は、そのままガイド環群２３の上端位置のガイド環２３ａに係合しておく。これにより、各昇降コード２２は、その上下両端がそれぞれ係止具２４を介して上下位置のガイド環２３ａ，２３ａに係止されて外れることがなく、洗濯中に昇降コード２２がガイド環群２３から抜け出てしまうのを防止できる。
【００２１】
次に、袋状部２０からウエイトバー２１を取り出しておき、この状態で雌型の貼り合せファスナー５ｂを雄型の貼り合せファスナー５ａから引き剥がして吊り杆１からカーテン生地２を外す。そして、各昇降コード２２を付けたままカーテン生地２を洗濯する。
【００２２】
カーテン生地２の洗濯後は、雄型の貼り合せファスナー５ａに雌型の貼り合せファスナー５ｂを貼り合わせ、吊り杆１にカーテン生地２を吊す。また、袋状部２０にウエイトバー２１を戻す。そして、各昇降コード２２上端の係止具２４を各ガイド環２３ａから外し、再び各補助コード１０の連結環１１に係止して連結する。
【００２３】
このように、本発明は昇降コード２２の上端を巻取りドラム８側とは分離し、昇降コード２２の上端に巻取りドラム８側に着脱自在に係合し得る係合部２４を設けるようにしたので、吊り杆１からカーテン生地２を取り外す際に、各昇降コード２２先端の係合部２４を外すのみで、カーテン生地２を外せることができることになる。よって、洗濯する際のカーテン生地２の脱着作業、特に、窓とカーテン生地という狭い隙間であってもその取付け作業が簡単かつ時間を掛けずに能率良く行なえる。
【００２４】
また、雄・雌貼り合せファスナー５ａ，５ｂを貼り合せまたは引き剥がすとき及び各昇降コード２２上端の係合部２４を各巻取りドラム８側の被係合部１１に係合するときのみ、脚立または踏み台に乗り、後はほとんど床面で作業ができることから危険も少なく安全である。
【００２５】
本実施の形態にあって、係合部２４は一例であり、この構造のものに限定されるものではなく、他に、例えば係合部２４は開閉機構を備えていれば、単に環状の部材であっても良い。すなわち、係合部２４は開閉機構を有すると共にガイド環２３ａを通過できる大きさであれば良い。また、各補助コード１０先端の被係止部は、例えば補助コード１０を使って環状に結んで成形しても良く、係止具２４を使用するようにしても良い。更に、各昇降コード２２の下端は、本実施の形態のように係止具２４を設けてガイド環２３ａに着脱自在に取着するようにしても良いが、係止具２４を使用せずに昇降コード２２の下端部をそのままガイド環２３ａに結ぶようにしても良い。
【００２６】
また、上記説明では昇降コード２２を４本使用したが、これはカーテン生地２の横幅間の寸法により決められ、横幅が広くなると昇降コード２２を５本、６本と増やしてゆく。
【図面の簡単な説明】
【００２７】
【図１】本発明に係るローマンシエードの斜視図。
【図２】吊り杆部位の正面断面図。
【図３】図２のＸ−Ｘ線断面図。
【図４】図２のＹ−Ｙ線断面図。
【図５】昇降コードを巻取りドラムから外す状態を示すカーテン生地の正面図。
【図６】同一部の拡大正面図。
【符号の説明】
【００２８】
１            吊り杆
２            カーテン生地
６            回動軸
８            巻取りドラム
１１          被係合部（連結環）
２２          昇降コード
２３ａ        ガイド環
２４          係合部（係止具）
Ｒ            ローマンシエード
【図１】
2007014496.tif 000003
【図２】
2007014496.tif 000004
【図３】
2007014496.tif 000005
【図４】
2007014496.tif 000006
【図５】
2007014496.tif 000007
【図６】
2007014496.tif 000008